【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  移動通信端末を用いて所定のローカルエリア内にある任意の家電機器を遠隔制御できる機器制御システムであって、
様々な家電機器について、家電機器を直接制御させる信号を定義するために必要な少なくとも１つの機器制御情報を格納するデータベースと、
自己の機器制御情報を格納する前記データベースのアクセス情報を格納先情報として保持する１つ以上の家電機器と、
家電機器をローカルエリアネットワークで接続すると共に、接続された家電機器が保持する前記格納先情報を総括管理するホームゲートウエイと、
前記ホームゲートウエイで総括管理されている前記格納先情報を利用して、前記データベースに格納されている前記機器制御情報に基づいた家電機器の遠隔制御を行う移動通信端末と、
前記データベース、前記ホームゲートウエイ及び前記移動通信端末を相互に接続するネットワークとを備える、機器制御システム。
【請求項２】  前記データベースには、家電機器毎に１つの前記機器制御情報が格納されており、前記格納先情報は、前記機器制御情報を一意に特定できる情報であり、
前記移動通信端末から家電機器の遠隔制御を実行する要求を受けると、前記ホームゲートウエイは、家電機器の前記格納先情報を前記移動通信端末に送信し、
前記移動通信端末は、前記ホームゲートウエイから受信した前記格納先情報に基づいて、制御する特定の家電機器に対する前記機器制御情報を前記データベースから取得し、当該取得した機器制御情報を解釈及び実行し、所望の操作内容に応じた制御信号を前記ホームゲートウエイに送信し、
前記ホームゲートウエイは、受信した前記制御信号を前記特定の家電機器に与えることを特徴とする、請求項１に記載の機器制御システム。
【請求項３】  前記データベースには、家電機器毎に複数の前記機器制御情報が格納されており、前記格納先情報は、前記複数の機器制御情報のうちの２つ以上を特定できる情報であり、
前記移動通信端末から家電機器の遠隔制御を実行する要求を受けると、前記ホームゲートウエイは、家電機器の前記格納先情報を前記移動通信端末に送信し、
前記移動通信端末は、前記ホームゲートウエイから受信した前記格納先情報に基づいて、制御する特定の家電機器に対する２以上の前記機器制御情報の中から所望する機器制御情報を前記データベースから選択的に取得し、当該取得した機器制御情報を解釈及び実行し、所望の操作内容に応じた制御信号を前記ホームゲートウエイに送信し、
前記ホームゲートウエイは、受信した前記制御信号を前記特定の家電機器に与えることを特徴とする、請求項１に記載の機器制御システム。
【請求項４】  前記データベースには、家電機器毎に１つの前記機器制御情報が格納されており、前記格納先情報は、前記機器制御情報を一意に特定できる情報であり、
前記ホームゲートウエイは、家電機器をローカルエリアネットワークで接続した際、当該家電機器の格納先情報によって特定される前記機器制御情報を前記データベースから予め取得し、
前記移動通信端末から家電機器の遠隔制御を実行する要求を受けると、前記ホームゲートウエイは、前記機器制御情報に基づく操作画面を前記移動通信端末に送信し、
前記移動通信端末は、前記ホームゲートウエイから受信した操作画面を用いて、制御する特定の家電機器の所望の操作内容を前記ホームゲートウエイに指示し、
前記ホームゲートウエイは、受信した前記指示に従って前記機器制御情報の解釈及び実行し、所望の操作内容に応じた制御信号を前記特定の家電機器に与えることを特徴とする、請求項１に記載の機器制御システム。
【請求項５】  前記ホームゲートウエイは、前記格納先情報を家電機器に予め定められた機器名称と共に管理しており、前記要求に応じて前記格納先情報と共に当該機器名称を前記移動通信端末に送信し、
前記移動通信端末は、前記ホームゲートウエイから受信した前記機器名称を参照して、特定の家電機器の選択が可能であることを特徴とする、請求項２に記載の機器制御システム。
【請求項６】  前記ホームゲートウエイは、家電機器の動作及び設定に関する機器状態をさらに管理しており、前記要求に応じて前記格納先情報及び前記機器名称と共に当該機器状態を前記移動通信端末に送信し、
前記移動通信端末は、前記ホームゲートウエイから受信した前記機器状態を参照して、操作内容の実効性が判断可能であることを特徴とする、請求項５に記載の機器制御システム。
【請求項７】  前記ホームゲートウエイで総括管理される前記格納先情報が任意に変更できることを特徴とする、請求項１に記載の機器制御システム。
【請求項８】  様々な家電機器について、家電機器を直接制御させる信号を定義するために必要な少なくとも１つの機器制御情報を格納する当該データベースと、自己の機器制御情報を格納するデータベースのアクセス情報を格納先情報として保持する１つ以上の家電機器とローカルエリアネットワークで接続されるホームゲートウエイと、移動通信端末とが、ネットワークによって相互に接続されたシステムにおいて、移動通信端末を用いて所定のローカルエリア内にある任意の家電機器を遠隔制御する機器制御方法であって、
前記ホームゲートウエイが、家電機器をローカルエリアネットワークで接続する際に、接続する家電機器が保持する前記格納先情報を取得して管理し、
前記移動通信端末が、前記ホームゲートウエイで管理されている前記格納先情報を利用して、前記データベースに格納されている前記機器制御情報に基づいた家電機器の遠隔制御を行うことを特徴とする、機器制御方法。
【請求項９】  前記データベースには、家電機器毎に１つの前記機器制御情報が格納されており、前記格納先情報は、前記機器制御情報を一意に特定できる情報であり、
前記移動通信端末から家電機器の遠隔制御を実行する要求を受けると、前記ホームゲートウエイが、家電機器の前記格納先情報を前記移動通信端末に送信するステップと、
前記移動通信端末が、前記ホームゲートウエイから受信した前記格納先情報に基づいて、制御する特定の家電機器に対する前記機器制御情報を前記データベースから取得するステップと、
前記移動通信端末が、前記データベースから取得した前記機器制御情報を解釈及び実行し、所望の操作内容に応じた制御信号を前記ホームゲートウエイに送信するステップと、
前記ホームゲートウエイが、前記移動通信端末から受信した前記制御信号を前記特定の家電機器に与えるステップとを備えることを特徴とする、請求項８に記載の機器制御方法。
【請求項１０】  前記データベースには、家電機器毎に複数の前記機器制御情報が格納されており、前記格納先情報は、前記複数の機器制御情報のうちの２つ以上を特定できる情報であり、
前記移動通信端末から家電機器の遠隔制御を実行する要求を受けると、前記ホームゲートウエイが、家電機器の前記格納先情報を前記移動通信端末に送信するステップと、
前記移動通信端末が、前記ホームゲートウエイから受信した前記格納先情報に基づいて、制御する特定の家電機器に対する２以上の前記機器制御情報の中から所望する機器制御情報を前記データベースから選択的に取得するステップと、
前記移動通信端末が、前記データベースから取得した前記機器制御情報を解釈及び実行し、所望の操作内容に応じた制御信号を前記ホームゲートウエイに送信するステップと、
前記ホームゲートウエイが、前記移動通信端末から受信した前記制御信号を前記特定の家電機器に与えるステップとを備えることを特徴とする、請求項８に記載の機器制御方法。
【請求項１１】  前記データベースには、家電機器毎に１つの前記機器制御情報が格納されており、前記格納先情報は、前記機器制御情報を一意に特定できる情報であり、
前記ホームゲートウエイが、家電機器をローカルエリアネットワークで接続する際、当該家電機器の格納先情報によって特定される前記機器制御情報を前記データベースから予め取得するステップと、
前記移動通信端末から家電機器の遠隔制御を実行する要求を受けると、前記ホームゲートウエイが、家電機器の前記機器制御情報に基づく操作画面を前記移動通信端末に送信するステップと、
前記移動通信端末が、前記ホームゲートウエイから受信した前記操作画面を用いて、制御する特定の家電機器の所望の操作内容を前記ホームゲートウエイに指示するステップと、
前記ホームゲートウエイが、前記移動通信端末から受信した前記指示に従って前記機器制御情報の解釈及び実行し、所望の操作内容に応じた制御信号を前記特定の家電機器に与えるステップとを備えることを特徴とする、請求項８に記載の機器制御方法。
【請求項１２】  前記ホームゲートウエイが、前記格納先情報を家電機器に予め定められた機器名称と共に管理しており、前記要求に応じて前記格納先情報と共に当該機器名称を前記移動通信端末に送信するステップをさらに備え、
前記移動通信端末が、前記ホームゲートウエイから受信した前記機器名称を参照して、前記特定の家電機器の選択を行うステップをさらに備えることを特徴とする、請求項９に記載の機器制御方法。
【請求項１３】  前記ホームゲートウエイが、家電機器の動作及び設定に関する機器状態をさらに管理しており、前記要求に応じて前記格納先情報及び前記機器名称と共に当該機器状態を前記移動通信端末に送信するステップをさらに備え、
前記移動通信端末が、前記ホームゲートウエイから受信した前記機器状態を参照して、操作内容の実効性を判断するステップをさらに備えることを特徴とする、請求項１２に記載の機器制御方法。
【請求項１４】  前記ホームゲートウエイが管理する前記格納先情報を任意に変更できることを特徴とする、請求項８に記載の機器制御方法。
【請求項１５】  様々な家電機器について、家電機器を直接制御させる信号を定義するために必要な少なくとも１つの機器制御情報を格納するデータベースと、当該データベースに格納されている機器制御情報に基づいた家電機器の遠隔制御を行う移動通信端末とに、ネットワークによって接続されたホームゲートウエイであって、
自己の機器制御情報を格納する前記データベースのアクセス情報を格納先情報として保持する１つ以上の家電機器を、ローカルエリアネットワークで接続し、
接続された家電機器が保持する前記格納先情報を取得して管理することを特徴とする、ホームゲートウエイ。
【請求項１６】  前記移動通信端末から家電機器の遠隔制御を実行する要求を受けると、家電機器の前記格納先情報を前記移動通信端末へ送信し、
前記移動通信端末から所望の操作内容に応じた制御信号を受信すると、当該制御信号を特定の家電機器に与えることを特徴とする、請求項１５に記載のホームゲートウエイ。
【請求項１７】  家電機器をローカルエリアネットワークで接続した際、当該家電機器の格納先情報によって特定される前記機器制御情報を前記データベースから予め取得し、
前記移動通信端末から家電機器の遠隔制御を実行する要求を受けると、家電機器の前記機器制御情報に基づく操作画面を前記移動通信端末へ送信し、
前記移動通信端末から所望の操作指示を受信すると、予め取得した前記機器制御情報を解釈及び実行して操作指示に対する制御信号を生成し、当該制御信号を特定の家電機器に与えることを特徴とする、請求項１５に記載のホームゲートウエイ。
【請求項１８】  前記格納先情報を家電機器に予め定められた機器名称と共に管理しており、前記要求に応じて前記格納先情報と共に当該機器名称を前記移動通信端末へ送信することを特徴とする、請求項１６に記載のホームゲートウエイ。
【請求項１９】  家電機器の動作及び設定に関する機器状態をさらに管理しており、前記要求に応じて前記格納先情報及び前記機器名称と共に当該機器状態を前記移動通信端末へ送信することを特徴とする、請求項１８に記載のホームゲートウエイ。
【請求項２０】  管理する前記格納先情報を任意に変更できることを特徴とする、請求項１５に記載のホームゲートウエイ。
【請求項２１】  様々な家電機器について、家電機器を直接制御させる信号を定義するために必要な少なくとも１つの機器制御情報を格納するデータベースと、当該データベースに格納されている機器制御情報へアクセスするための格納先情報を管理するホームゲートウェイとに、ネットワークによって接続可能な移動通信端末であって、
前記ホームゲートウェイで管理されている前記格納先情報を前記ホームゲートウェイから受信し、当該受信した格納先情報を利用して前記データベースに格納されている前記機器制御情報を取得し、当該取得した機器制御情報に基づいて家電機器の遠隔制御を行う、移動通信端末。